(57)【要約】【課題】一般家庭のリビング等に使用される扇風機において、ハンドルを持って扇風機を後方に傾けることで基台部に備えたゴム脚が床面から離れ、同時に基台部に備えた移動手段により扇風機を移動可能にし、容易に持ち運びができることを目的とする。【解決手段】扇風機１の基台部２の底面に備わる複数のゴム脚８より後方にキャスター１１を備えた構成にしたことにより、モータ部４の上方に備わるハンドル７を持って扇風機１を後方に傾けたとき、ゴム脚８が床面から離れると同時に、キャスター１１により扇風機１が移動可能となり、容易に持ち運びが可能とした扇風機を得られる。【選択図】図１
2014231802.tif 000002
【特許請求の範囲】
【請求項１】
基台部と、この基台部から上方へ伸びた支持部と、この支持部の先端に設けたモータ部と、このモータ部の前方側に装着したファンと、このファンを内包するガードと、前記モータ部から上方に伸びたハンドルと、前記基台部の底面に設け床面と接触する複数のゴム足とからなり、前記ハンドルを持って、前記支持部の先端を前記モータ部における後方側へ傾けると、前記ゴム足が床面から離れ、前記ゴム足より後方側に備えた移動手段によって移動可能なことを特徴とする扇風機。
【請求項２】
前記支持部は、前記基台部の中心より後方側に位置することを特徴とする請求項１に記載の扇風機。
【請求項３】
前記基台部は、前後方向に伸びた凹部分を備え、前記支持部は、上下方向に伸び先端に前記モータ部を設けた支柱部分と、この支柱部分の下端に前記凹部分に嵌り後方向に伸びた凸部分とからなり、前記支柱部分の下方に前記基台部と前記支持部とを固定する固定部分を設けたことを特徴とする請求項１または２に記載の扇風機。
【請求項４】
前記移動手段は、第１の移動部と第２の移動部とからなることを特徴とする請求項３に記載の扇風機。
【請求項５】
前記第１の移動部と前記第２の移動部との間に前記基台部の前記凹部分を備えたことを特徴とする請求項４に記載の扇風機。
【請求項６】
前記移動手段は、前記基台部の前記底面より下方へ突出し、前記基台部の前記底面から前記移動手段の下端までの距離は、前記基台部の前記底面から前記ゴム足の下端までの距離より短いことを特徴とする請求項１から４のいずれかに記載の扇風機。
【請求項７】
前記移動手段は、車輪部と、この車輪部を回転自在に支持する車輪支持部とからなり、前記車輪部は、少なくとも前後方向に回転し、前記基台部の最も後方側の端部より後方に突出していることを特徴とする請求項１から６のいずれかに記載の扇風機。
【請求項８】
前記基台部の平面視は、円形状であることを特徴とする請求項１から７のいずれかに記載の扇風機。
【発明の詳細な説明】
【技術分野】
【０００１】
本発明は、一般家庭用に使用される扇風機に関するものである。
【背景技術】
【０００２】
従来、この種の扇風機は、夏季に家屋内において使用されるもので、軸流ファンを回転させて昇圧された空気を前方に送風し、その風を人間が浴びることで涼感を得るものであるが、近年では温度センサーやイオン発生器の追加による多機能化、また首振り機構の複雑化により扇風機本体の重量が増える傾向にある。
【０００３】
このため家屋内で扇風機を持ち運び（たとえば、リビングから寝室へなど）する際の負担が大きくなるため、扇風機の移動による負担を軽減する目的で移動用のキャスターを備えた扇風機が知られている（例えば、特許文献１参照）。
【０００４】
以下、その移動用キャスター付扇風機について図１０を参照しながら説明する。
【０００５】
図１０に示すように、移動用キャスター１０１は前脚部１０２と後脚部１０３と、取付台１０４と、キャスター１０５と、ハンドル１０６とからなり、扇風機１０７を取付台１０４に備え、ハンドル１０６を手で握って水平方向に力を加えることで床面に接するキャスター１０５の車輪が回転し、扇風機ごと移動させることができる。
【先行技術文献】
【特許文献】
【０００６】
【特許文献１】実開昭６０−１８３９７号公報（第２頁、第３図）
【発明の概要】
【発明が解決しようとする課題】
【０００７】
このような従来の移動用キャスター付扇風機は、持ち運びに便利である反面、例えば子供がいたずらなどで扇風機へよりかかると扇風機が容易に動いてしまい怪我をする可能性もある。そのため、輪留め機構を備えた場合には輪留めの操作が都度必要となり煩雑になるという課題を有していた。
【０００８】
そこで本発明は、上記従来の課題を解決するものであり、移動用のキャスターを備えつつも扇風機を使用する際には床面に基台部がしっかりと固定され、持ち運びの際にのみ、移動用のキャスターが機能する構成を容易に実現した移動用キャスター付扇風機を提供することを目的とする。
【課題を解決するための手段】
【０００９】
そして、この目的を達成するために、本発明は、基台部と、この基台部から上方へ伸びた支持部と、この支持部の先端に設けたモータ部と、このモータ部の前方側に装着したファンと、このファンを内包するガードと、モータ部から上方に伸びたハンドルと、基台部の底面に設け床面と接触する複数のゴム足とからなり、ハンドルを持って、支持部の先端をモータ部における後方側へ傾けると、ゴム足が床面から離れ、ゴム足より後方側に備えた移動手段によって移動可能なことを特徴とする扇風機であり、これにより所期の目的を達成するものである。
【発明の効果】
【００１０】
本発明によれば、ハンドルを持って、支持部の先端をモータ部における後方側へ傾けると、ゴム足が床面から離れ、ゴム足より後方側に備えた移動手段によって移動可能な扇風機にしたことにより、扇風機を使用する際にはゴム足により扇風機は床面に対して固定されているが、運搬する際には扇風機頭部に備わるハンドルを持ってモータ部における後方側へ傾けるとゴム足が床面から離れ、移動用キャスターによる持ち運びが可能となる効果を得ることができる。
【図面の簡単な説明】
【００１１】
【図１】本発明の実施の形態１の扇風機の全体を示す斜視図
【図２】同基台部の詳細を示す斜視図
【図３】同床面とゴム脚とローラーの位置関係を示す側断面図
【図４】同基台部の凹部を示す上方図
【図５】同基台部と支持部の凸部の勘合を示す斜視図
【図６】同基台部と支持部のナットによる締結を示す斜視図
【図７】同基台部の中心と支柱部分の位置関係を示す側面図
【図８】同扇風機を移動させるときの傾斜を示す側面図
【図９】同扇風機を傾けたとき基台部の端部とローラーの位置を示す側断面図
【図１０】従来の扇風機を示す側面図
【発明を実施するための形態】
【００１２】
本発明の請求項１記載の扇風機は、基台部と、この基台部から上方へ伸びた支持部と、この支持部の先端に設けたモータ部と、このモータ部の前方側に装着したファンと、このファンを内包するガードと、モータ部から上方に伸びたハンドルと、基台部の底面に設け床面と接触する複数のゴム足とからなり、ハンドルを持って、支持部の先端をモータ部における後方側へ傾けると、ゴム足が床面から離れ、ゴム足より後方側に備えた移動手段によって移動可能な構成を有する。これにより、ハンドルをもって扇風機本体を傾けるだけで容易に扇風機を移動できるという効果を奏する。
【００１３】
また、支持部は、基台部の中心より後方側に位置する構成にしてもよい。これにより、扇風機の重心を後方へずらすことで傾けやすくなり、かつ、基台部の前方側へ基板などを設置する空間をより大きく確保できるという効果を奏する。
【００１４】
また、基台部は、前後方向に伸びた凹部分を備え、支持部は、上下方向に伸び先端にモータ部を設けた支柱部分と、この支柱部分の下端に基台部の凹部分に嵌り後方向に伸びた凸部分とからなり、支柱部分の下方に基台部と支持部とを固定する固定部分を設けた構成にしてもよい。これにより、扇風機を後方へ傾けたとき、支柱部分と凸部分との間のたわみを抑制し、剛性を確保できるという効果を奏する。
【００１５】
また、移動手段は、第１の移動部と第２の移動部とからなる構成にしてもよい。これにより、移動手段が単一であるのに対して、安定した扇風機の移動ができるという効果を奏する。
【００１６】
また、第１の移動部と、第２の移動部との間に基台部の凹部分を備えた構成にしてもよい。これにより、扇風機の重量バランスについてハンドルを基点に左右へ分けることで、単純に第１の移動部と第２の移動部を設けるよりも安定して扇風機を移動できるという効果を奏する。
【００１７】
また、移動手段は、基台部の底面より下方へ突出し、基台部の底面から移動手段の下端までの距離は、基台部の底面からゴム足の下端までの距離より短い構成にしてもよい。これにより、扇風機を使用する際に移動手段が床面へ接触して、扇風機本体の振動が伝播することを防ぐという効果を奏する。
【００１８】
また、移動手段は、車輪部と、この車輪部を回転自在に支持する車輪支持部とからなり、車輪部は、少なくとも前後方向に回転し、基台部の最も後方側の端部より後方に突出している構成にしてもよい。これにより、扇風機の移動手段を容易に実現でき、かつ扇風機を傾ける角度を小さくすることで、より簡単に扇風機を移動できるという効果を奏する。
【００１９】
また、基台部の平面視は、円形状である構成にしてもよい。これにより、扇風機を移動させるとき、基台部が障害物に接触して損傷する可能性を抑制できるという効果を奏する。
【００２０】
以下、本発明の実施の形態について図面を参照しながら説明する。
【００２１】
（実施の形態１）
図１に示すように、扇風機１は、円形状の基台部２（例えば、直径３８０ｍｍ、高さ４０ｍｍ）と基台部２から上方へ伸びた支持部３（例えば、高さ７７０ｍｍ、幅６５ｍｍ、奥行４５            ｍｍ）と、支持部３の先端に設けたモータ部４と、モータ部４の前方側に装着したファン５（例えば直径３００ｍｍ）と、ファン５を内包するガード６と、モータ部４から上方に伸びたハンドル７とを備えている。
【００２２】
また、図２に示すように、基台部２は基台部２の底面に設けて床面と接触する複数のゴム脚８（例えば直径１５ｍｍ、高さ２．５ｍｍ）を、例えばここでは６つ環状に均等な間隔で設けている。
【００２３】
さらにゴム脚８より後方（ファン５の取付方向から見て）に、移動手段としてキャスター１１を第１の移動部および第２の移動部として２個備えている。このキャスター１１は、例えば直径２ｍｍ、高さ４ｍｍの車輪支持部となる回転軸９と、例えば直径１６ｍｍ、高さ１５ｍｍの車輪部となるローラー１０とからなる。そしてキャスター１１を装着するための窪みとして装着部１２を基台部２の側面から底面にかけての一部分に設けている。
【００２４】
また、図３に示すように、ゴム脚８が床面に接触しているとき、ローラー１０は床面と接触せず、例えば距離Ｌ１＝１．０ｍｍの間隔を設けるとともに、ローラー１０は基台部２の端部１８より外側に、例えば距離Ｌ２＝１．０ｍｍ突出している。
【００２５】
また、図４に示すように、基台部２の上面側にはキャスター１１の間に凹部１３が設けられ、この凹部１３に嵌るように、図５に示すように、支持部３はモータ部４を支える支柱部分１４と、支柱部分１４の下端から前後に伸びた凸部１５からなり、凸部１５はネジ部１６を備えている。
【００２６】
図６に示すように、凹部１３に凸部１５を嵌めて、基台部２の底面側からネジ部１６をナット１７で締結することで、支持部３は基台部２に固定される。
【００２７】
また、図７に示すように、支柱部分１４は、基台部２の中心より後方（例えば、距離Ｌ３＝５５ｍｍ）に位置する。
【００２８】
このような構成によれば、扇風機１を使用するときはゴム脚８が床面に接触して扇風機１を固定するとともに扇風機１の振動騒音を吸収し、また、このときキャスター１１は床面と接触しないためキャスター１１を通して振動騒音が床面に伝わることはない。
【００２９】
次に扇風機１の使用者が扇風機１を移動（例えば、リビングから寝室などへ）させるとき、ハンドル７を持って扇風機１を図８に示すように矢印の方向へ傾けると、ゴム脚８が床面から離れると同時にキャスター１１を構成するローラー１０が床面に接触し、使用者はハンドル７を持ったまま扇風機１を前後に平行移動させると、ローラー１０が床面との摩擦により回転し、扇風機１が移動する。
【００３０】
ここで、凹部１３を第１の移動部と第２の移動部となる２個のキャスター１１の間に設けたことで、支持部３の左右にキャスター１１が配置されることとなり、ハンドル７を持って扇風機１を移動させるとき、バランスを崩しにくい。
【００３１】
また、扇風機１の持ち運びに際してハンドル７を持って後方へ傾けるとき、支持部３の支柱部分１４を基台部２の中心より後方へ位置したことで重心が後方に来ることで、より傾けやすくなるだけでなく、支柱部分１４の前方側の凸部１５かつ／または基台部に備える基板（操作基板など）の空間をより大きく確保することもできる。
【００３２】
また、支柱部分１４の下端の前後に設けた凸部１５と基台部２の凹部１３が勘合することで、前後方向での支柱部分１４と基台部２との接触面積が大きくなるため、扇風機１を傾けたときの支柱部分１４と基台部２との間のたわみを小さくし、剛性を高めることができる。
【００３３】
また、ローラー１０を基台部２の後方側の端部１８より外側に出したことで、図９に示すように扇風機１を後方へ傾けたとき、端部１８よりさきにローラー１０が床面に接触するため、扇風機１を移動させるために必要な傾斜度を小さくできる。
【００３４】
また、基台部２を平面視したとき円形状とすることで、扇風機１を移動するのに必要な空間を小さくし、たとえば、襖やドアの出入り口の角に基台部２をぶつけて損傷する可能性を小さくする。
【００３５】
これら上記の作用により、本実施の形態の扇風機１は、使用の際にはしっかりと床面に固定され、扇風機１を持ち運ぶときにだけ作動する移動手段を、ハンドル７を持ち、扇風機１を後方に傾けるだけで容易に実現し、かつ安定してキャリーバッグを持ち運ぶ要領で移動することができる。
【００３６】
なお、実施の形態において移動手段を前後に動くキャスター１１として設けたが、ボールキャスターにしてもよく、より小回りの利く、自在な移動も可能となる。
【産業上の利用可能性】
【００３７】
本発明にかかる扇風機は、モータ部の上方に伸びたハンドルを持って扇風機を後方に傾けたとき、基台部の底面に備えたゴム脚が床面から離れ、同時に基台部に備えた移動手段により移動可能となり、容易に扇風機の持ち運びを可能とするものであるので、一般的な家庭に使用されるリビング用扇風機等として有用である。
【符号の説明】
【００３８】
１  扇風機
２  基台部
３  支持部
４  モータ部
５  ファン
６  ガード
７  ハンドル
８  ゴム脚
９  回転軸
１０  ローラー
１１  キャスター
１２  装着部
１３  凹部
１４  支柱部分
１５  凸部
１６  ネジ部
１７  ナット
１８  端部
Ｌ１  距離
Ｌ２  距離
Ｌ３  距離
【図１】
2014231802.tif 000003
【図２】
2014231802.tif 000004
【図３】
2014231802.tif 000005
【図４】
2014231802.tif 000006
【図５】
2014231802.tif 000007
【図６】
2014231802.tif 000008
【図７】
2014231802.tif 000009
【図８】
2014231802.tif 000010
【図９】
2014231802.tif 000011
【図１０】
2014231802.tif 000012